(57)【要約】【課題】  壁パネル、ジョイナー、接続ブロックのそれぞれの位置決めを容易にすることのできる壁パネルの連結構造を提供する。【解決手段】  端部を背方に向けて折り返したパネル側面板を突設させた壁パネルを隣接させ、隣接させた前記壁パネルの端部に沿ってジョイナーを前記パネル側面板を覆うように係合させ、前記ジョイナーの天井側の端部に接続ブロックを嵌合させることにより前記壁パネルと前記ジョイナーとを係止させる壁パネルの連結構造において、前記接続ブロックに突起片と係合板を設けてなり、前記突起片が前記壁パネルの一部と係合し、前記係合板が前記ジョイナーと係合する。【選択図】図１
2005042390.tif 000002
【特許請求の範囲】
【請求項１】
端部を背方に向けて折り返したパネル側面板を突設させた壁パネルを隣接させ、隣接させた前記壁パネルの端部に沿ってジョイナーを前記パネル側面板を覆うように係合させ、前記ジョイナーの天井側の端部に接続ブロックを嵌合させることにより前記壁パネルと前記ジョイナーとを係止させる壁パネルの連結構造において、前記接続ブロックに突起片と係合板を設けてなり、前記突起片が前記壁パネルの一部と係合し、前記係合板が前記ジョイナーと係合することを特徴とする壁パネルの連結構造。
【請求項２】
複数の前記接続ブロックにより前記壁パネルと前記ジョイナーとを係止することを特徴とする請求項１記載の壁パネルの連結構造。
【請求項３】
前記壁パネルが上面視で略直角に隣接していることを特徴とする請求項１又は請求項２記載の壁パネルの連結構造。
【発明の詳細な説明】
【技術分野】
【０００１】
本発明は、ユニットバスの浴室壁等を構成するための壁パネルの連結構造に関するものである。
【背景技術】
【０００２】
従来から、複数の壁パネルを配設することにより、ユニットバスの壁面を構成することが実施されている。ここで、図３、５に示すように、壁パネルを連結させるには、まず、側端部を折り曲げてパネル接続縦凹所５２ａ、５２ｂを形成した壁パネル５１ａ、５１ｂを隣接させる。そして、パネル接続縦凹所５２ａ、５２ｂを覆うように、ジョイナー５６を係合させる。次に、図５に示すように、接合ブロック５７の接続突起５８ａ、５８ｂをそれぞれパネル接続縦凹所５２ａ、５２ｂに嵌入するように、ハンマ６０で接合ブロック５７を打ち込む。こうすることにより、ジョイナー５６と接合ブロック５７を介して壁パネル５１ａ、５１ｂを連結させている。また、壁パネル５１ａと５１ｂとの間には、目地を嵌入するための空隙部５５が設けられている。
【０００３】
また、従来の連結構造を改良したものとして特開２００３−２７６２９号公報には、図６に示すように、接続ブロック５７に起立当板５９を設け、壁パネル５１ａ、５１ｂのパネル上端部面５３ａ、５３ｂに設けたパネル立上げ片５４ａ、５４ｂに、起立当板５９を当接する構造が開示されている。この連結構造では、パネル上端部面５３ａと５３ｂ及びパネル立上げ片５４ａと５４ｂとが、略同一面に配設されることになるので、連結した壁パネル５１ａ、５１ｂのパネル面に位置ずれを生じることを防止できる。
【特許文献１】特開２００３−２７６２９号公報
【発明の開示】
【発明が解決しようとする課題】
【０００４】
しかしながら、従来の接続ブロックを用いる構造であっても、特開２００３−２７６２９号公報に開示されている構造であっても、以下の問題があった。接続ブロック５７は、壁パネル５１ａ、５１ｂのパネル接続縦凹所５２ａ、５２ｂと係合しているだけであり、接続ブロック５７とジョイナー５６とは係合していない。したがって、壁パネル５１ａと５１ｂとの位置決めは、ジョイナー５６を介して行われることになる。この状態で、確実に接続ブロック５７の接続突起５８ａ、５８ｂをパネル接続縦凹所５２ａ、５２ｂに嵌入させるためには、ジョイナー５６と接続ブロック５７と両方に正確な寸法精度が要求されていた。
【０００５】
また、壁パネル５１ａと５１ｂとの間には、目地を嵌入するための空隙部５５が設けられている。例えば、目地の形状が変更となることにより、空隙部５５の幅が変化すると、ジョイナー５６と接続ブロック５７との両方について、設計・製造をやり直すことが必要となっていた。つまり、従来の連結構造では、壁パネル、ジョイナー、接続ブロックのそれぞれを独立して位置決めすることができなかった。このために、それぞれについて高い寸法精度が要求され、設計変更のたびにジョイナー、接続ブロックを作り直す必要があった。
【０００６】
本発明は、かかる事由に鑑みてなしたもので、その目的とするところは、壁パネル、ジョイナー、接続ブロックのそれぞれの位置決めを容易にすることのできる壁パネルの連結構造を提供することにある。
【課題を解決するための手段】
【０００７】
上記課題を解決するために、本願発明の壁パネルの連結構造は、端部を背方に向けて折り返したパネル側面板を突設させた壁パネルを隣接させ、隣接させた前記壁パネルの端部に沿ってジョイナーを前記パネル側面板を覆うように係合させ、前記ジョイナーの天井側の端部に接続ブロックを嵌合させることにより前記壁パネルと前記ジョイナーとを係止させる壁パネルの連結構造において、前記接続ブロックに突起片と係合板を設けてなり、前記突起片が前記壁パネルの一部と係合し、前記係合板が前記ジョイナーと係合する。
【発明の効果】
【０００８】
本願発明の壁パネルの連結構造は、突起片と係合板を設けてなる接続ブロックを用いて、突起片が前記壁パネルの一部と係合し、係合板が前記ジョイナーと係合してなるので、隣接する壁パネルの位置決めも接続ブロックとジョイナーによってなされるようになる。したがって、それぞれの位置決めを独立して行うことができるので、位置決め作業が容易になる。また、接続ブロックとジョイナーとそれぞれの形状は、独立しているので、両者を係合させるために、必要以上に寸法精度を高くする必要がなくなり、これらの部品の生産性を向上することができる。
【発明を実施するための最良の形態】
【０００９】
本発明の実施形態を図１、２に基づいて説明する。本実施形態の壁パネルの連結構造は、図１に示すように、ユニットバスの浴室の壁面として用いられる壁パネル１ａ、１ｂを隣接させて連結するものである。ここで、壁パネル１ａ、１ｂは、金属製の板材である。図２に示すように、各々の側面の端部を折り返すことにより、パネル側面板２ａ、２ｂを形成する。さらに、その先を折り返すことにより、上面視で三角形状となるパネル折返し片３ａ、３ｂを形成する。また、壁パネル１ａ、１ｂのそれぞれの上面の端部を折り曲げて、パネル上面板４ａ、４ｂと、パネル立上げ片５ａ、５ｂを形成して、これらが天井面と係合する構造としている。
【００１０】
ジョイナー１０は、図３に示すように、長尺の形状のものであり、鉄板等の金属板を折り曲げて形成したものである。このものの断面は、図１、２に示すように、壁パネル１ａ、１ｂと接するジョイナー前面板１１ａ、１１ｂ、これらの先端を折り返したジョイナー折返し片１２ａ、１２ｂ、ジョイナー前面板１１ａ、１１ｂに対向するジョイナー背面板１４、及び、ジョイナー前面板１１ａ、１１ｂとジョイナー背面板１４とを接続するジョイナー側面板１３ａ、１３ｂとを有している。
【００１１】
また、接続ブロック１５ａ、１５ｂは硬質樹脂製である。このものは、図１に示すように、上部板１６ａ、１６ｂに突起片１７ａ、１７ｂと係合板とがそれぞれ突設している構造となっている。ここで、係合板は、それぞれ係合側方板１８ａ、１８ｂと係合前方板１９ａ、１９ｂとからなっている。
【００１２】
以下に、本実施形態の壁パネルの連結構造の手順について説明する。まず、壁パネル１ａを浴室内の所定位置に配設させる。この状態で、壁パネル１ａのパネル側面板２аとパネル折返し片３аを覆うように、ジョイナー１０を壁パネル１ａの屋外側に配設させる。つまり、ジョイナー１０のジョイナー前面板１１аが壁パネル１аの本体に接合し、ジョイナー折返し片１２аがパネル折返し片３аに接合する状態となる。この状態で、上方から接合ブロック１５аを嵌合させる。具体的には、図２に示すように、突起片１７аがパネル折返し片３аの内部に、係合側方板１８аがジョイナー側面板１３ａの外側面に接触し、係合前方板１９аが壁パネル１аの背面に接触するようになる。この状態では、接続ブロック１５аが壁パネル１а及びジョイナー１０とそれぞれ係合して、ジョイナー１０を係止している。したがって、ジョイナー１０は、接続ブロック１５аによって位置決めがされることになる。
【００１３】
次に、壁パネル１ｂをジョイナー１０と係合するように、浴室内の所定位置に配設させる。このときに、壁パネル１аとジョイナー１０との関係と同様に、ジョイナー前面板１１ｂが壁パネル１ｂの本体に接合し、ジョイナー折返し片１２ｂがパネル折返し片３ｂに接合する状態となる。そして、もう一つの接続ブロック１５ｂを壁パネル１ｂ及びジョイナー１０と係合するように嵌合する。このときに、壁パネル１аとジョイナー１０との関係と同様に、突起片１７ｂがパネル折返し片３ｂの内部に、係合側方板１８ｂがジョイナー側面板１３ｂの外側面に接触し、係合前方板１９ｂが壁パネル１ｂの背面に接触するようになる。したがって、壁パネル１ｂは、ジョイナー１０及び接続ブロック１５ｂによって位置決めがされることになる。また、このときに、ジョイナー背面板１４の長さによって、目地が嵌入する空隙部６の幅が決まることになる。
【００１４】
本実施形態では、壁パネルと接続ブロック１５а、１５ｂによって、ジョイナー１０の位置決めをすることができる。また、隣接する壁パネル１а、１ｂの位置決めも接続ブロック１５а、１５ｂとジョイナー１０によってなされる。したがって、それぞれの位置決めを独立して行うことができるので、位置決め作業が容易になる。また、接続ブロック１５а、１５ｂとジョイナー１０とそれぞれの形状は、独立しているので、両者を係合させるために、必要以上に寸法精度を高くする必要がなくなる。したがって、これらの部品の生産性を向上することができる。さらに、目地等の変更により、空隙部６の寸法が変化しても、ジョイナー１０のジョイナー背面板１４の長さのみを変更したものを製造すれば対応可能であり、接続ブロック１５а、１５ｂは、今までどおりのものを使用することが可能となる。したがって、接続ブロック１５а、１５ｂは、多くの在庫を所有しておくことができる。
【００１５】
なお、本願発明に係る壁パネルの連結構造は、図１、２に示すような、一直線状に連結する壁パネルだけでなく、図４に示すような、直角に隣接する壁パネルの連結にも適用することができる。この場合、壁パネルと接続ブロックは、先の実施形態と同じものを使用することができる。しかし、ジョイナー１０’は、図４に示すように、断面視で数段に折れ曲がった形状のものを使用することが必要となる。このようなジョイナー１０’と接続ブロックを用いることにより、直角に隣接する壁パネルの位置決めも接続ブロックとジョイナーによってなされるようになり、それぞれの位置決めを独立して行うことができるので、位置決め作業が容易になる。
【００１６】
また、接続ブロックとジョイナーとそれぞれの形状は、独立しているので、両者を係合させるために、必要以上に寸法精度を高くする必要がなくなり、これらの部品の生産性を向上することができる。
【図面の簡単な説明】
【００１７】
【図１】実施形態１に係る壁パネルの連結構造の屋外側の斜視図である。
【図２】実施形態１に係る壁パネルの連結構造の屋内側の断面図である。
【図３】実施形態１に係る天井用結合ブロックとジョイナーとの斜視図である。
【図４】別の実施形態に係る壁パネルの連結構造の屋外側の斜視図である。
【図５】従来の実施形態に係る壁パネルの連結構造の屋外側の斜視図である。
【図６】他の従来の実施形態に係る壁パネルの連結構造の屋外側の斜視図である。
【符号の説明】
【００１８】
１ａ、１ｂ      壁パネル
２ａ、２ｂ      パネル側面板
３ａ、３ｂ      パネル折返し片
４ａ、４ｂ      パネル上面板
５ａ、５ｂ      パネル立上げ片
６              空隙部
１０、１０’    ジョイナー
１１ａ、１１ｂ  ジョイナー前面板
１２ａ、１２ｂ  ジョイナー折返し片
１３ａ、１３ｂ  ジョイナー側面板
１４            ジョイナー背面板
１５ａ、１５ｂ  結合ブロック
１６ａ、１６ｂ  上部板
１７ａ、１７ｂ  突起片
１８ａ、１８ｂ  係合側方板
１９ａ、１９ｂ  係合前方板
【図１】
2005042390.tif 000003
【図２】
2005042390.tif 000004
【図３】
2005042390.tif 000005
【図４】
2005042390.tif 000006
【図５】
2005042390.tif 000007
【図６】
2005042390.tif 000008